【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたナビゲーションサーバ、および、出力部と制御部とを少なくとも備えた端末装置、を通信可能に接続したナビゲーションシステムであって、
上記ナビゲーションサーバの上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記ナビゲーションサーバの上記制御部は、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索手段と、
上記案内経路探索手段により探索された上記案内経路上の上記交通機関の乗車地点である上記停留地点、または、上記案内経路上の上記区間に対応する上記属性情報を上記ネットワークデータ記憶手段から抽出する属性情報抽出手段と、
上記案内経路データと、上記属性情報抽出手段により抽出された上記属性情報と、を少なくとも含む経路案内情報を上記端末装置に送信する経路案内情報送信手段と、
を備え、
上記端末装置の上記制御部は、
上記ナビゲーションサーバから送信される上記経路案内情報を受信する経路案内情報受信手段と、
上記経路案内情報受信手段により受信された上記経路案内情報を上記出力部を介して出力させることにより、経路案内を実行する経路案内手段と、
を備えたことを特徴とする、ナビゲーションシステム。
【請求項２】
請求項１に記載のナビゲーションシステムにおいて、
上記交通機関の上記属性情報は、
上記交通機関の種別を含むことを特徴とする、ナビゲーションシステム。
【請求項３】
請求項１または２に記載のナビゲーションシステムにおいて、
上記交通機関の上記属性情報は、
上記交通機関の行先情報を含むことを特徴とする、ナビゲーションシステム。
【請求項４】
請求項１から３のいずれか一つに記載のナビゲーションシステムにおいて、
上記ネットワークデータは、
更に、上記停留地点における上記交通機関の発着時刻を含み、
上記経路探索条件は、
更に、出発時刻または到着時刻を含み、
上記案内経路探索手段は、
上記端末装置から送信される少なくとも上記出発地と上記目的地と上記出発時刻または上記到着時刻とを含む上記経路探索条件を満たす上記出発地から上記目的地までの上記経路である上記案内経路を、上記ネットワークデータ記憶手段に記憶された上記ネットワークデータを用いて、上記出発時刻または上記到着時刻に対応する上記ネットワークデータに含まれる上記発着時刻に基づき探索し、上記案内経路データを生成し、
上記経路案内情報送信手段は、
上記案内経路データと、上記属性情報抽出手段により抽出された上記属性情報と、上記案内経路上の上記交通機関の上記乗車地点である上記停留地点における上記発着時刻と、を少なくとも含む上記経路案内情報を上記端末装置に送信することを特徴とする、ナビゲーションシステム。
【請求項５】
請求項１から４のいずれか一つに記載のナビゲーションシステムにおいて、
上記ネットワークデータは、
更に、上記路線の名称と、上記交通機関の最終行先情報と、上記停留地点の名称と、を含み、
上記経路案内情報は、
更に、上記路線の名称と、上記交通機関の最終行先情報と、上記乗車地点である上記停留地点の上記名称と、を含むことを特徴とする、ナビゲーションシステム。
【請求項６】
ナビゲーションサーバに通信可能に接続された、出力部と制御部とを少なくとも備えた端末装置であって、
上記制御部は、
少なくとも出発地と目的地とを含む経路探索条件を上記ナビゲーションサーバに送信する経路探索条件送信手段と、
上記ナビゲーションサーバから送信される、上記経路探索条件を満たす上記出発地から上記目的地までの案内経路の案内経路データと、上記案内経路上の交通機関の乗車地点である停留地点に対応する、上記交通機関の路線上の上記停留地点、または、当該停留地点を結ぶ区間毎に対応付けられた上記交通機関の属性情報と、を少なくとも含む経路案内情報を受信する経路案内情報受信手段と、
上記経路案内情報受信手段により受信された上記経路案内情報を上記出力部を介して出力させることにより、経路案内を実行する経路案内手段と、
を備えたことを特徴とする、端末装置。
【請求項７】
出力部を少なくとも備えた端末装置に通信可能に接続された、制御部と記憶部とを少なくとも備えたナビゲーションサーバであって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部は、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索手段と、
上記案内経路探索手段により探索された上記案内経路上の上記交通機関の乗車地点である上記停留地点、または、上記案内経路上の上記区間に対応する上記属性情報を上記ネットワークデータ記憶手段から抽出する属性情報抽出手段と、
上記案内経路データと、上記属性情報抽出手段により抽出された上記属性情報と、を少なくとも含む経路案内情報に基づく表示画面を生成する経路案内表示画面生成手段と、
上記表示画面を含む経路案内制御情報を上記端末装置へ送信することにより、当該端末装置の上記出力部を介して当該経路案内制御情報を出力させる経路案内制御手段と、
を備えたことを特徴とする、ナビゲーションサーバ。
【請求項８】
出力部と制御部と記憶部とを少なくとも備えたナビゲーション装置であって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部は、
少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索手段と、
上記案内経路探索手段により探索された上記案内経路上の上記交通機関の乗車地点である上記停留地点、または、上記案内経路上の上記区間に対応する上記属性情報を上記ネットワークデータ記憶手段から抽出する属性情報抽出手段と、
上記案内経路データと、上記属性情報抽出手段により抽出された上記属性情報と、を少なくとも含む経路案内情報を上記出力部を介して出力させることにより、経路案内を実行する経路案内手段と、
を備えたことを特徴とする、ナビゲーション装置。
【請求項９】
制御部と記憶部とを少なくとも備えたナビゲーションサーバ、および、出力部と制御部とを少なくとも備えた端末装置、を通信可能に接続したナビゲーションシステムにおいて実行されるナビゲーション方法であって、
上記ナビゲーションサーバの上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記ナビゲーションサーバの上記制御部において実行される、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記ナビゲーションサーバの上記制御部において実行される、上記案内経路探索ステップにて探索された上記案内経路上の上記交通機関の乗車地点である上記停留地点、または、上記案内経路上の上記区間に対応する上記属性情報を上記ネットワークデータ記憶手段から抽出する属性情報抽出ステップと、
上記ナビゲーションサーバの上記制御部において実行される、上記案内経路データと、上記属性情報抽出ステップにて抽出された上記属性情報と、を少なくとも含む経路案内情報を上記端末装置に送信する経路案内情報送信ステップと、
上記端末装置の上記制御部において実行される、上記ナビゲーションサーバから送信される上記経路案内情報を受信する経路案内情報受信ステップと、
上記端末装置の上記制御部において実行される、上記経路案内情報受信ステップにて受信された上記経路案内情報を上記出力部を介して出力させることにより、経路案内を実行する経路案内ステップと、
を含むことを特徴とする、ナビゲーション方法。
【請求項１０】
ナビゲーションサーバに通信可能に接続された、出力部と制御部とを少なくとも備えた端末装置において実行されるナビゲーション方法であって、
上記制御部において実行される、
少なくとも出発地と目的地とを含む経路探索条件を上記ナビゲーションサーバに送信する経路探索条件送信ステップと、
上記ナビゲーションサーバから送信される、上記経路探索条件を満たす上記出発地から上記目的地までの案内経路の案内経路データと、上記案内経路上の交通機関の乗車地点である停留地点に対応する、上記交通機関の路線上の上記停留地点、または、当該停留地点を結ぶ区間毎に対応付けられた上記交通機関の属性情報と、を少なくとも含む経路案内情報を受信する経路案内情報受信ステップと、
上記経路案内情報受信ステップにて受信された上記経路案内情報を上記出力部を介して出力させることにより、経路案内を実行する経路案内ステップと、
を含むことを特徴とする、ナビゲーション方法。
【請求項１１】
出力部を少なくとも備えた端末装置に通信可能に接続された、制御部と記憶部とを少なくとも備えたナビゲーションサーバにおいて実行されるナビゲーション方法であって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部において実行される、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記案内経路探索ステップにて探索された上記案内経路上の上記交通機関の乗車地点である上記停留地点、または、上記案内経路上の上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報に基づく表示画面を生成する経路案内表示画面生成ステップと、
上記表示画面を含む経路案内制御情報を上記端末装置へ送信することにより、当該端末装置の上記出力部を介して当該経路案内制御情報を出力させる経路案内制御ステップと、
を含むことを特徴とする、ナビゲーション方法。
【請求項１２】
出力部と制御部と記憶部とを少なくとも備えたナビゲーション装置において実行されるナビゲーション方法であって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部において実行される、
少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索ステップと、
上記案内経路探索ステップにて探索された上記案内経路上の上記交通機関の乗車地点である上記停留地点、または、上記案内経路上の上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報を上記出力部を介して出力させることにより、経路案内を実行する経路案内ステップと、
を含むことを特徴とする、ナビゲーション方法。
【請求項１３】
端末装置に通信可能に接続された、制御部と記憶部とを少なくとも備えたナビゲーションサーバに実行させるためのプログラムであって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部において、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記案内経路探索ステップにて探索された上記案内経路上の上記交通機関の乗車地点である上記停留地点、または、上記案内経路上の上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報を上記端末装置に送信する経路案内情報送信ステップと、
を実行させるためのプログラム。
【請求項１４】
ナビゲーションサーバに通信可能に接続された、出力部と制御部とを少なくとも備えた端末装置に実行させるためのプログラムであって、
上記制御部において、
少なくとも出発地と目的地とを含む経路探索条件を上記ナビゲーションサーバに送信する経路探索条件送信ステップと、
上記ナビゲーションサーバから送信される、上記経路探索条件を満たす上記出発地から上記目的地までの案内経路の案内経路データと、上記案内経路上の交通機関の乗車地点である停留地点に対応する、上記交通機関の路線上の上記停留地点、または、当該停留地点を結ぶ区間毎に対応付けられた上記交通機関の属性情報と、を少なくとも含む経路案内情報を受信する経路案内情報受信ステップと、
上記経路案内情報受信ステップにて受信された上記経路案内情報を上記出力部を介して出力させることにより、経路案内を実行する経路案内ステップと、
を実行させるためのプログラム。
【請求項１５】
出力部を少なくとも備えた端末装置に通信可能に接続された、制御部と記憶部とを少なくとも備えたナビゲーションサーバに実行させるためのプログラムであって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部において、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記案内経路探索ステップにて探索された上記案内経路上の上記交通機関の乗車地点である上記停留地点、または、上記案内経路上の上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報に基づく表示画面を生成する経路案内表示画面生成ステップと、
上記表示画面を含む経路案内制御情報を上記端末装置へ送信することにより、当該端末装置の上記出力部を介して当該経路案内制御情報を出力させる経路案内制御ステップと、
を実行させるためのプログラム。
【請求項１６】
出力部と制御部と記憶部とを少なくとも備えたナビゲーション装置に実行させるためのプログラムであって、
上記記憶部は、
交通機関の路線上の停留地点、または、当該停留地点を結ぶ区間毎に対応付けられた上記交通機関の属性情報を少なくとも含む、交通網を規定するネットワークデータを記憶するネットワークデータ記憶手段、
を備え、
上記制御部において、
少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索ステップと、
上記案内経路探索ステップにて探索された上記案内経路上の上記交通機関の乗車地点である上記停留地点、または、上記案内経路上の上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報を上記出力部を介して出力させることにより、経路案内を実行する経路案内ステップと、
を実行させるためのプログラム。